(57)【特許請求の範囲】
【請求項１】
前端が開口する筒状の案内通路を前後方向に備えて電動工具に装着可能な本体ケースと、前記本体ケースに設けられてフィルタを内設するダストボックスと、前記案内通路に設けられ、前端に吸込口を備えたノズルを有して前後方向へスライド可能なスライド部と、を含み、前記吸込口から前記フィルタに至る集塵経路を形成してなる電動工具用集塵装置であって、
前記スライド部が、前記集塵経路を内設して前方へ行くに従って小径となる複数段の筒体によって伸縮可能に形成されて、前記スライド部の最後段の前記筒体が、前記案内通路に同軸で前後方向へスライド可能に接続されていることを特徴とする電動工具用集塵装置。
【請求項２】
隣接する前記筒体同士の重合状態からの小径側の前記筒体の伸長を規制するストッパ機構が設けられていることを特徴とする請求項１に記載の電動工具用集塵装置。
【請求項３】
前記ストッパ機構は、小径の前記筒体側に設けられた係止部と、大径側の前記筒体に設けられて前記係止部が係止する被係止部とを含んでなることを特徴とする請求項２に記載の電動工具用集塵装置。
【請求項４】
最前方の前記筒体の前端には前記ノズルが上向きに接続され、前記係止部は、前記ノズルに沿って上下方向へスライド可能に設けられ、下方位置で前記被係止部に係止するスライド部材であることを特徴とする請求項３に記載の電動工具用集塵装置。
【請求項５】
前記係止部は、小径側の前記筒体に設けられ、大径側の前記筒体の内側から前記被係止部に係止するフックであることを特徴とする請求項３に記載の電動工具用集塵装置。
【請求項６】
前記ストッパ機構は、大径側の前記筒体へ回転可能に設けられて当該筒体の中心側へ突出するストッパ部を備えた操作部材と、小径側の前記筒体に設けられて前記筒体同士の重合状態で前記ストッパ部の後方に位置する凸部と、を含んでなり、前記筒体同士の重合状態で前記操作部材の回転操作により前記ストッパ部を前記凸部の位相と合わせることで小径側の前記筒体の伸長が規制されることを特徴とする請求項２に記載の電動工具用集塵装置。
【請求項７】
前記本体ケースと、前記本体ケースに差し込まれる一段目の前記筒体との間に、前記本体ケースに対する当該筒体の初期位置を設定する位置決め機構と、当該筒体の後退位置を規制する深さ調整機構とが設けられることを特徴とする請求項１乃至６の何れかに記載の電動工具用集塵装置。
【請求項８】
請求項１乃至７の何れかに記載の電動工具用集塵装置を装着してなる電動工具。
【発明の詳細な説明】
【技術分野】
【０００１】
本発明は、電動ドリルやハンマードリル等の電動工具に装着される電動工具用集塵装置と、その集塵装置を装着した電動工具とに関する。
【背景技術】
【０００２】
電動ドリルやハンマードリル等の電動工具には、穿孔作業等の際に被加工材から発生する粉塵を集塵して回収する集塵装置が装着されることがある。この電動工具用集塵装置としては、特許文献１に開示のものが知られている。ここでは、穿孔工具のハウジングに装着される集塵ケース内にフィルタを収容してその上流側に集塵ホースを介して集塵アダプタを接続し、フィルタの下流側を、電動工具のハウジング内に設けた集塵ファンと連通させて、電動工具の作動に伴う集塵ファンの回転により、集塵アダプタから粉塵を空気と共に吸い込んで集塵ホースを介して集塵ケース内のフィルタで捕捉するものとなっている。ここでの集塵アダプタは、複数の筒状部材からなるテレスコープ型の支持部材によって支持されて、穿孔作業に伴って伸縮可能となっている。
【先行技術文献】
【特許文献】
【０００３】
【特許文献１】特開２００８−２０７２５８号公報
【発明の概要】
【発明が解決しようとする課題】
【０００４】
上記従来の電動工具用集塵装置においては、集塵アダプタをテレスコープ型の支持部材で支持することで、いわゆるロングビットと称される１５０ｍｍ以上の先端工具にも対応して使用できる。しかし、集塵アダプタの支持部材とは別に、集塵アダプタと集塵ケースとの間に集塵ホースを接続して集塵経路を形成しているため、集塵ホースが作業の邪魔になるおそれがある。
【０００５】
そこで、本発明は、ロングビットにも対応可能としつつ、作業の邪魔になることなく集塵経路を形成できる電動工具用集塵装置及び電動工具を提供することを目的としたものである。
【課題を解決するための手段】
【０００６】
上記目的を達成するために、請求項１に記載の発明は、前端が開口する筒状の案内通路を前後方向に備えて電動工具に装着可能な本体ケースと、本体ケースに設けられてフィルタを内設するダストボックスと、案内通路に設けられ、前端に吸込口を備えたノズルを有して前後方向へスライド可能なスライド部と、を含み、吸込口からフィルタに至る集塵経路を形成してなる電動工具用集塵装置であって、
スライド部が、集塵経路を内設して前方へ行くに従って小径となる複数段の筒体によって伸縮可能に形成されて、スライド部の最後段の筒体が、案内通路に同軸で前後方向へスライド可能に接続されていることを特徴とする。
請求項２に記載の発明は、請求項１の構成において、隣接する筒体同士の重合状態からの小径側の筒体の伸長を規制するストッパ機構が設けられていることを特徴とする。
請求項３に記載の発明は、請求項２の構成において、ストッパ機構は、小径の筒体側に設けられた係止部と、大径側の筒体に設けられて係止部が係止する被係止部とを含んでなることを特徴とする。
ここで「筒体側」とは、小径の筒体自体に係止部を設ける場合は勿論、当該筒体に設けられるノズル等の他の構成部に係止部を設ける場合も含む。
請求項４に記載の発明は、請求項３の構成において、最前方の筒体の前端にはノズルが上向きに接続され、係止部は、ノズルに沿って上下方向へスライド可能に設けられ、下方位置で被係止部に係止するスライド部材であることを特徴とする。
請求項５に記載の発明は、請求項３の構成において、係止部は、小径側の筒体に設けられ、大径側の筒体の内側から被係止部に係止するフックであることを特徴とする。
請求項６に記載の発明は、請求項２の構成において、ストッパ機構は、大径側の筒体へ回転可能に設けられて当該筒体の中心側へ突出するストッパ部を備えた操作部材と、小径側の筒体に設けられて筒体同士の重合状態でストッパ部の後方に位置する凸部と、を含んでなり、筒体同士の重合状態で操作部材の回転操作によりストッパ部を凸部の位相と合わせることで小径側の筒体の伸長が規制されることを特徴とする。
請求項７に記載の発明は、請求項１乃至６の何れかの構成において、本体ケースと、本体ケースに差し込まれる一段目の筒体との間に、本体ケースに対する当該筒体の初期位置を設定する位置決め機構と、当該筒体の後退位置を規制する深さ調整機構とが設けられることを特徴とする。
上記目的を達成するために、請求項８に記載の発明は、電動工具であって、請求項１乃至７の何れかに記載の電動工具用集塵装置を装着してなることを特徴とする。
【発明の効果】
【０００７】
請求項１及び８に記載の発明によれば、案内通路に設けられるスライド部を、集塵経路を内設して前方へ行くに従って小径となる複数段の筒体によって伸縮可能に形成したことで、スライド部をノズルの支持部材と集塵経路とに兼用でき、ノズルとダストボックスとの間に集塵ホース等を接続して集塵経路を形成する必要がなくなる。よって、ロングビットにも対応可能としつつ、作業の邪魔になることなく集塵経路を形成することができる。
請求項２に記載の発明によれば、請求項１の効果に加えて、ストッパ機構の採用により、ショートビットへの対応も容易に行え、使い勝手が向上する。
請求項３に記載の発明によれば、請求項２の効果に加えて、係止部と被係止部との採用によりストッパ機構を簡単に形成できる。
請求項４に記載の発明によれば、請求項３の効果に加えて、係止部をノズルに設けたスライド部材としたことで、スライド部材の上下操作によってストッパ機構の有無の切り替えを容易に行うことができ、構造も簡単で済む。
請求項５に記載の発明によれば、請求項３の効果に加えて、係止部をフックとしたことで、フックの係脱操作によってストッパ機構の有無の切り替えも容易に行うことができる。また、フックは筒体の内側から被係止部に係止するので、係止状態のフックが筒体から突出することがなく、作業の邪魔にならない。
請求項６に記載の発明によれば、請求項２の効果に加えて、ストッパ機構に操作部材を採用したことで、操作部材の回転操作によってストッパ機構の有無の切り替えを容易に行うことができる。
請求項７に記載の発明によれば、請求項１乃至６の何れかの効果に加えて、位置決め機構と深さ調整機構との採用により、伸縮するスライド部を採用しても、初期位置や加工深さの設定を容易に行うことができる。
【図面の簡単な説明】
【０００８】
【図１】電動工具用集塵装置の側面図である（スライド部は伸長状態）。
【図２】電動工具用集塵装置の中央縦断面図である（スライド部は伸長状態）。
【図３】電動工具用集塵装置の側面図である（スライド部は収縮状態）。
【図４】電動工具用集塵装置の中央縦断面図である（スライド部は収縮状態）。
【図５】ハンマードリルに装着した状態の側面図である。
【図６】変更例の電動工具用集塵装置の側面図である（内筒は前進位置）。
【図７】スライド部の中央縦断面図である（内筒は前進位置）。
【図８】変更例の電動工具用集塵装置の平面図である（内筒は後退位置）。
【図９】変更例の電動工具用集塵装置の側面図である（内筒は後退位置）。
【図１０】スライド部の中央縦断面図である（内筒は後退位置）。
【図１１】ハンマードリルに装着した状態の側面図である。
【図１２】変更例のストッパ機構（内筒は前進位置）の説明図で、（Ａ）は中央縦断面、（Ｂ）はＡ−Ａ線断面をそれぞれ示す。
【図１３】変更例のストッパ機構（内筒は後退位置）の説明図で、（Ａ）は中央縦断面、（Ｂ）はＡ−Ａ線断面をそれぞれ示す。
【図１４】変更例のストッパ機構（内筒は前進位置）を示す斜視図である。
【図１５】変更例のストッパ機構（内筒は前進位置）の説明図で、（Ａ）は側面、（Ｂ）は中央縦断面をそれぞれ示す。
【図１６】変更例のストッパ機構（内筒は後退位置）を示す斜視図である。
【図１７】変更例のストッパ機構（内筒は後退位置）の説明図で、（Ａ）は側面、（Ｂ）は中央縦断面をそれぞれ示す。
【発明を実施するための形態】
【０００９】
以下、本発明の実施の形態を図面に基づいて説明する。
図１は、電動工具用集塵装置（以下単に「集塵装置」という。）の側面図、図２は中央縦断面図である。
この集塵装置１は、左右の半割ケースを組み付けてなる側面視Ｌ字状の本体ケース２を有し、上部後面に、後述するハンマードリル７０の装着部７２に嵌合する嵌合凹部３を形成している。本体ケース２の後方には、出力軸５を前方へ向けたモータ４が横向きに収容されると共に、その後方にコントローラ６が設けられている。また、出力軸５には集塵ファン７が固着され、本体ケース２内に区画形成されて側面に排気口９，９・・を備えた吸気室８内に収容されている。吸気室８の前方には、ダストボックス１１の結合部１０が形成されている。この結合部１０は、前方のみ開口した凹状を呈し、結合部１０の底となる後側の仕切壁１２には、集塵ファン７の同軸上で結合部１０を吸気室８と連通させる連通孔１３が形成されて、連通孔１３には、金網を嵌着したシールリング１４が装着されている。
【００１０】
さらに、本体ケース２の嵌合凹部３には、後方へ突出する電源用と通信用との３つの板状のオス端子１５，１５・・が左右方向に所定間隔をおいて並設されている。これらのオス端子１５は図示しないリード線によってコントローラ６へ電気的に接続されている。
そして、本体ケース２の後部上面には、ハンマードリル７０の装着部７２に設けた図示しない案内溝に嵌合する押圧レール１６が前後方向に突設され、その左右両側には、一対のガイドレール１７，１７が前後方向に立設されている。各ガイドレール１７の上端には、装着部７２の側面に設けた図示しない結合溝に嵌合可能な凸条１８がそれぞれ内側へ向けて突設されている。
【００１１】
一方、結合部１０の上方には、前端が開口し後端がＵ字状にターンして結合部１０の後方へ回り込む筒状の案内通路１９が前後方向に形成されており、その案内通路１９に、スライド部２０を介してノズル２１が接続されている。スライド部２０は、案内通路１９に同軸で挿入される外筒２２と、外筒２２に同軸で挿入される内筒２３との２つの筒体からなるテレスコープ型で、外筒２２は、後端に設けた図示しない係止部が案内通路１９内の図示しない後ストッパに当接する後退位置と、当該係止部が図示しない前ストッパに当接する前進位置との間で前後へスライド可能となっている。内筒２３は、前端に設けた段部２４が外筒２２の前端に当接する後退位置と、後端に設けた図示しない係止部が外筒２２内の図示しないストッパに当接する前進位置との間で前後へスライド可能となっている。ノズル２１は、基端に内筒２３より小径の筒部２５を形成したＬ字状の筒状体で、先端に形成したリング状の吸込口２６を前後に開口させている。吸込口２６の後側の開口には、中心の透孔から放射状に複数の切込みを形成したゴムキャップ２７が嵌着され、前側の開口には、被穿孔面への当接状態で被穿孔面との間を閉塞するゴム製の閉塞リング２８が着脱可能に嵌着されている。
【００１２】
よって、スライド部２０は、外筒２２及び内筒２３がそれぞれ前進位置にあってノズル２１を案内通路１９から最も前方に位置させる図１，２の伸長状態と、外筒２２及び内筒２３がそれぞれ後退位置にあってノズル２１を案内通路１９に最も接近させる図３，４の収縮状態とに伸縮可能となる。
また、案内通路１９の後端には、案内通路１９の後端形状に沿ってＵ字状に折り返した筒状のダクト２９が連結されている。このダクト２９は、上側が円筒で下側が横長の角筒に形成され、下側の先端部３０は、左右へＶ字状に分岐して、左右一対の吹出口３１を斜め前方へ向けて開口させている。ダクト２９の取付状態で、先端部３０は仕切壁１２を貫通して結合部１０内に突出するようになっている。
一方、ノズル２１の筒部２５は、内筒２３の前端内部へ同軸で突出しており、スライド部２０内には、蛇腹状のフレキシブルホース３２が収容されて、後端がダクト２９の上端に、前端が筒部２５にそれぞれ接続されている。よって、前述のようにスライド部２０が伸縮しても、フレキシブルホース３２がこれに追従してスライド部２０内で伸縮するため、ノズル２１とダクト２９との接続状態は維持される。
【００１３】
そして、ダストボックス１１は、結合部１０へ着脱可能に装着されている。このダストボックス１１は、直方体状のボックス本体３３と、そのボックス本体３３の開口にヒンジ結合される蓋体３４とを備えてなる。蓋体３４には、長手方向の一方側に横長矩形状の入口３５が、他方側に円形の出口３６がそれぞれ形成されると共に、出口３６を覆う位置に、折り畳まれた紙製のフィルタ３８を有するフィルタユニット３７が、フィルタ面をボックス本体３３内へ突出させた姿勢で設けられている。出口３６の周縁には、蓋体３４の外面よりも外側へ突出する立ち上がり部３９が全周に亘って形成されている。
【００１４】
また、ボックス本体３３の短手方向の一方の端面には、結合部１０の下端に設けた左右方向の受け軸４０に嵌合する溝４１が、他方の端面には、結合部１０の上側内面に設けた係止突部４２に弾性係止する係止片４３がそれぞれ形成されている。
よって、ダストボックス１１は、蓋体３４を後向きにして前方から溝４１を受け軸４０に嵌合させた斜め姿勢から、縦に起こすように結合部１０に押し込むと、係止片４３が係止突部４２に係止して結合部１０に装着される。この装着状態で、入口３５にダクト２９の先端部３０が嵌合してボックス本体３３内に突出し、出口３６が連通孔１３に対向して連通し、立ち上がり部３９の外側全周がシールリング１４に押圧されて仕切壁１２と蓋体３４との間をシールする。こうして集塵装置１内には、吸込口２６からノズル２１、フレキシブルホース３２、ダクト２９を通ってボックス本体３３内のフィルタ３８に至る集塵経路Ｒが形成される。
【００１５】
図５は、この集塵装置１をハンマードリル７０に装着した状態を示す側面図である。このハンマードリル７０は、左右一対の半割ハウジングを組み付けてなるハウジング７１の前側下部に、図示しないモータを収容すると共に集塵装置１の嵌合凹部３が嵌合する装着部７２を形成している。装着部７２の上方には、回転及び打撃機構を介してツールホルダが前向きに収容されて、前方へ突出するツールホルダの先端に、先端工具が装着可能となっている。７３は先端工具装着用の操作スリーブである。ハウジング７１の後側上部には、スイッチレバー７５を備えたハンドル７４が形成されており、ハンドル７４の下方には、電源となるバッテリーパック７６が装着されている。また、装着部７２の内部には、本機側コントローラが収容されると共に、装着部７２の下面で左右方向の中央には、集塵装置１の押圧レール１６が嵌合する図示しない案内溝が前後方向に凹設され、装着部７２の左右の外面には、ガイドレール１７，１７の凸条１８がそれぞれ嵌合する図示しない結合溝が前後方向に凹設されている。
【００１６】
また、装着部７２内には、電源用と通信用との３つのメス端子を左右方向に並設して上面前端にシャッタ部を備えたコネクタが、シャッタ部が前方に開口形成された差込口の上方に退避して開口を差込口の真後ろに位置させる上側の接続位置と、シャッタ部が差込口の真後ろに位置して開口を差込口の下方に退避させる非接続位置とに回転可能に支持されている。但し、コネクタは、図示しないトーションスプリングによって、集塵装置１を装着しない状態では、シャッタ部が差込口を閉塞する非接続位置に回転付勢されている。
【００１７】
このハンマードリル７０に集塵装置１を装着する際には、装着部７２の下部に本体ケース２のガイドレール１７，１７を合わせて装着部７２が本体ケース２の後部上側に位置する状態で、装着部７２に対して嵌合凹部３を前方から嵌合させるように集塵装置１を後方へスライドさせる。すると、装着部７２の案内溝に集塵装置１の押圧レール１６が、結合溝にガイドレール１７，１７の凸条１８がそれぞれ嵌合して後方へスライドする。このとき押圧レール１６がコネクタの下方に設けた押圧片を上方へ押し上げるため、コネクタは、シャッタ部が上方へ退避して開口が差込口の真後ろに位置する接続位置へ移動する。よって、集塵装置１のオス端子１５が開放した差込口から装着部７２内へ進入し、装着部７２が嵌合凹部３へ嵌合すると同時にメス端子に挿通して電気的接続される。これらのコネクタ及びシャッタ部の構造、集塵装置１のスライド装着構造は、本件出願人の先願である特開２０１３−４９１２３号公報等に開示されているように公知である。
【００１８】
こうして集塵装置１を装着した状態で、ノズル２１の吸込口２６は操作スリーブ７３の前方に位置する。そして、ツールホルダに装着された先端工具が１５０ｍｍ以上のロングビットの場合、図５に示すように、吸込口２６にロングビットＬＢの先端が位置するようにスライド部２０を伸長させてノズル２１の初期位置を調整する。一方、先端工具が１５０ｍｍ未満のドリルビット（以下「ショートビット」という。）の場合は、吸込口２６にショートビットの先端が位置するように、スライド部２０を収縮させてノズル２１の初期位置を調整する。
その後、先端工具及び吸込口２６を被穿孔面に当接させて、ハンマードリル７０のスイッチレバー７５を押し込み操作してスイッチをＯＮさせると、モータが駆動する。このとき、ハウジング７１の側面に設けたチェンジレバー７７（図１１）によって動作モードがドリルモード或いはハンマドリルモードに選択されていれば、先端工具が回転して被穿孔面への穿孔が可能となり、穿孔が進むに連れて先端工具が吸込口２６を貫通してスライド部２０が収縮し、ノズル２１が相対的に後退する。
【００１９】
一方、スイッチのＯＮによって本機側コントローラは、集塵装置１のコントローラ６へ電源を供給する。よって、コントローラ６は、モータ４を駆動させて集塵ファン７を回転させる。これにより、ノズル２１の吸込口２６から外気が吸引され、フレキシブルホース３２及びダクト２９を通って先端部３０の吹出口３１からダストボックス１１のボックス本体３３内に排出される。その後、フィルタユニット３７の前方へ回り込んでフィルタ面からフィルタ３８を通過し、出口３６から連通孔１３を介して吸気室８に至り、排気口９から外部へ排出される。従って、被穿孔面から生じた粉塵は、吸込口２６に吸い込まれてノズル２１及びフレキシブルホース３２、ダクト２９を介してダストボックス１１内に進入し、フィルタ３８に捕捉されてボックス本体３３内に貯留することになる。
【００２０】
そして、スイッチレバーの押し込みを解除してスイッチをＯＦＦさせると、モータが停止して先端工具の回転等が停止する。しかし、本機側コントローラは、集塵装置１への通電をスイッチのＯＦＦから数秒間遅らせて停止させる遅延機能を備えているため、集塵装置１では先端工具停止後数秒間は集塵ファン７が回転を続ける。よって、ノズル２１やフレキシブルホース３２等に残留した粉塵もダストボックス１１へ確実に回収することができる。
【００２１】
集塵装置１の取り外しは、装着時と逆に集塵装置１をハンマードリル７０から前方へスライドさせると、案内溝による押圧レール１６の案内及び結合溝による凸条１８の案内で集塵装置１が前方へスライドし、これに従ってオス端子１５がコネクタから離間して差込口から抜き取られる。その後、前進した押圧レール１６による押圧片の押し上げを解かれたコネクタがトーションスプリングの付勢によって非接続位置へ復帰するため、シャッタ部が再び差込口を閉塞することになる。
また、集塵装置１からのダストボックス１１の取り外しも、装着時と逆に、係止片４３を係止突部４２から外した状態で、ダストボックス１１を受け軸４０を中心に結合部１０から離れる方向へ倒すと、ダストボックス１１を結合部１０から取り外すことができる。蓋体３４を開ければボックス本体３３内の粉塵を廃棄することができる。
【００２２】
このように、上記形態の集塵装置１及びハンマードリル７０によれば、ロングビットＬＢに対応可能となるスライド部２０が、集塵経路Ｒとなるフレキシブルホース３２を内設して前方へ行くに従って小径となる複数段の筒体（外筒２２、内筒２３）によって伸縮可能に形成されているので、スライド部２０をノズル２１の支持部材と集塵経路とに兼用でき、ノズル２１とダストボックス１１との間に集塵ホース等を接続して集塵経路を形成する必要がなくなる。よって、ロングビットにも対応可能としつつ、作業の邪魔になることなく集塵経路Ｒを形成することができる。
【００２３】
なお、スライド部２０には、初期位置を設定する位置決め機構と、穿孔深さ（外筒２２の後退位置）を調整する深さ調整機構とを設けることもできる。図６はその一例を示すもので、この集塵装置１Ａにおいて、位置決め機構４５は、外筒２２の側面に設けた平坦面４６に、前後方向へ形成されたラック４７と、本体ケース２の前端側面に、上下方向へスライド可能で且つ図示しない付勢手段で下限位置へ付勢され、当該下限位置で内面側に設けた図示しない弾性片がラック４７に上方から弾性係止する位置決めボタン４８とからなる。図６において本体ケース２の後部側面に表れる４９は、装着部７２へ係止して装着状態をロックする図示しないロック片を解除操作するためのロック解除ボタンである。
よって、位置決めボタン４８を押し上げてラック４７との係止を解除した状態で外筒２２を任意の初期位置にスライドさせ、設定した初期位置で位置決めボタン４８の押し上げを解除してラック４７に弾性係止させれば、外筒２２が当該初期位置で位置決めされる。
【００２４】
また、深さ調整機構５０は、ラック４７に加えて、平坦面４６の上下辺に設けられたレール５１，５１と、レール５１，５１に沿って前後方向へ移動可能に設けられると共に、上下方向へスライド可能で且つ図示しない付勢手段で下限位置で付勢され、当該下限位置で内面側に設けた図示しない係止片がラック４７に上方から係止する調整ボタン５２と、位置決めボタン４８の前方で本体ケース２の前端に設けられて後退した調整ボタン５２が当接する当接部５３とからなる。
よって、調整ボタン５２を押し上げてラック４７との係止を解除した状態でレール５１，５１に沿って任意の調整位置へ前後移動させ、設定した調整位置で調整ボタン５２の押し上げを解除してラック４７に係止させれば、調整ボタン５２の後端面と当接部５３の前端との間の距離に内筒２３のスライド分を加えた長さが最大穿孔深さとなる。すなわち、穿孔に伴う外筒２２の後退は、調整ボタン５２が当接部５３に当接する位置で規制される。
【００２５】
このように、本体ケース２と、本体ケース２に差し込まれる外筒２２との間に、本体ケース２に対する外筒２２の初期位置を設定する位置決め機構４５と、外筒２２の後退位置を規制する深さ調整機構５０とを設けたことで、伸縮するスライド部２０を採用しても、初期位置や穿孔深さの設定を容易に行うことができる。
なお、上記形態では、スライド部を外筒と内筒との２段の筒体で伸縮可能に形成しているが、筒体の数を増やして３段以上の筒体でスライド部を形成することも可能である。この場合、隣接する各筒体の間に深さ調整機構を設けることもできる。
【００２６】
さらに、このスライド部２０には、内筒２３を外筒２２内に差し込んだ後退位置で外筒２２と連結して内筒２３の前方へのスライドを規制するストッパ機構５５が設けられている。このストッパ機構５５は、図７に示すように、内筒２３に設けた係止部としてのフック５６と、外筒２２に設けた被係止部としての係止棒５７とからなる。まずフック５６は、内筒２３の前端上面に突設した左右一対の突起５８，５８間に、支軸５９を介して基端が連結されて、内筒２３の前端に形成した下切欠き６０内に位置する倒伏位置と、ノズル２１の後面に当接する起立位置との間で回転可能に支持されている。フック５６の先端は倒伏位置で上向きとなる。このフック５６は、支軸５９に設けたトーションスプリング６１により、常態では図７の起立位置となるように付勢されている。
【００２７】
外筒２２の前端上側には、内筒２３の後退位置で、内筒２３の突起５８，５８及び倒伏位置のフック５６が嵌合する上切欠き６２が形成されており、係止棒５７は、上切欠き６２内で、倒伏位置から起き上がろうとするフック５６の先端が係止する位置で左右方向に形成されている。
よって、ショートビットを使用する場合は、フック５６を倒伏位置へ押し込んだ状態で内筒２３を外筒２２内に差し込み、係止棒５７の下方にフック５６の先端が位置する後退位置でフック５６の押し込みを解除すれば、図８〜１０に示すように、起立しようとするフック５６が内側（下側）から係止棒５７に係止するため、内筒２３は後退位置で外筒２２と連結される。
一方、ロングビットを使用する場合は、フック５６を下方へ押し込んで係止棒５７との係止を解除させた状態で内筒２３を前方へ引き出せば、図１１のようにフック５６は起立位置に復帰してスライド部２０を伸長させることができる。
【００２８】
このように、上記変更例においては、隣接する外筒２２、内筒２３間に、両筒同士の重合状態からの内筒２３の伸長を規制するストッパ機構５５を設けたことで、ショートビットへの対応も容易に行え、使い勝手が向上する。特にここでは、ストッパ機構５５を、内筒２３に設けたフック５６と、外筒２２に設けられてフック５６が係止する係止棒５７とから形成しているので、ストッパ機構５５を簡単に形成できると共に、フック５６の係脱操作によってストッパ機構５５の有無の切り替えも容易に行うことができる。また、フック５６は外筒２２の内側から係止棒５７に係止するので、係止状態のフック５６が外筒２２から突出することがなく、作業の邪魔にならない。
【００２９】
図１２，１３は、ストッパ機構の変更例を示すものである。このストッパ機構５５Ａは、外筒２２の前端へ回転可能に外装された操作部材としての操作リング６４と、内筒２３の前部外周へ周方向に等間隔で形成された４つの凸部６５，６５・・とからなる。まず操作リング６４は、外筒２２の前端よりも前端がやや突出する位置で抜け止め状態で外装され、当該前端には、外筒２２の前端に半径方向へ被さる４つのストッパ部６６，６６・・が、周方向に等間隔で一体に形成されている。
【００３０】
よって、ショートビットを使用する場合は、操作リング６４を、ストッパ部６６が内筒２３の凸部６５と軸方向で干渉しない位相に回転させた後、内筒２３を外筒２２内に差し込む。すると、後退位置では図１３（Ａ）のように凸部６５が操作リング６４のストッパ部６６を通過して外筒２２の前端内側に位置する。この状態で操作リング６４を、ストッパ部６６が凸部６５の前方に位置する位相に回転させると、凸部６５がストッパ部６６に干渉することで内筒２３の前方への引き出しが規制されて、内筒２３は後退位置で外筒２２と連結される。一方、ロングビットを使用する場合は、操作リング６４を回転させてストッパ部６６を凸部６５の前方から退避させれば、内筒２３を前方へ引き出してスライド部２０を伸長させることができる。
【００３１】
この変更例においても、ストッパ機構５５Ａを設けたことで、ショートビットへの対応も容易に行え、使い勝手が向上する。特に、ストッパ機構５５Ａを、外筒２２へ回転可能に設けられて外筒２２の中心側へ突出するストッパ部６６を備えた操作リング６４と、内筒２３に設けられて両筒同士の重合状態でストッパ部６６の後方に位置する凸部６５と、を含んでなるものとして、両筒同士の重合状態で操作リング６４の回転操作によりストッパ部６６を凸部６５の位相と合わせることで内筒２３の伸長を規制するようにしているので、操作リング６４の回転操作によりストッパ機構５５Ａの有無の切り替えを容易に行うことができる。
【００３２】
図１４〜図１７は、ストッパ機構の他の変更例を示すものである。このストッパ機構５５Ｂは、ノズル２１の後面に設けた保持部８０に上下方向へスライド可能に保持された係止部（スライド部材）としての操作ボタン８１と、外筒２２の前端上面に設けられた被係止部としての透孔８２とからなる。
保持部８０は、ノズル２１の後面に立設された左右一対のガイド８３，８３と、上ストッパ８４と、下ストッパ８５とによって形成されて、操作ボタン８１は、上ストッパ８４に当接する上方位置と、下ストッパ８５に当接する下方位置との間でスライド可能となっている。操作ボタン８１の下面には、上方位置で下ストッパ８５よりも上方に退避し、下方位置で下ストッパ８５よりも下方へ突出する係止片８６が下向きに形成されている。
【００３３】
また、操作ボタン８１の内部には、前後方向に移動可能なボール８７と、ボール８７を前方へ付勢するコイルバネ８８とが収容されて、常態ではボール８７をノズル２１の後面に押圧している。ノズル２１の後面には、操作ボタン８１の上方位置と下方位置とにそれぞれ対応してボール８７が嵌合する上下一対の凹部８９，８９が形成されている。よって、凹部８９，８９へのボール８７の嵌合によって操作ボタン８１は上方位置と下方位置とで保持されると共に、各位置でのクリック作用も得られる。
一方、外筒２２の前端上側には、内筒２３の後退位置でノズル２１が嵌合する切欠部９０が形成されて、透孔８２は、切欠部９０の後方で係止片８６が差し込み可能な形状及び大きさで形成されている。この透孔８２は、内筒２３の後退位置で操作ボタン８１の係止片８６の真下に位置するようになっている。
【００３４】
よって、ショートビットを使用する場合は、図１４，１５に示すように操作ボタン８１を上方位置にスライドさせた状態で、内筒２３を外筒２２内に後退位置まで差し込む。ここで操作ボタン８１を下方位置にスライドさせると、図１６，１７に示すように係止片８６が真下に位置する透孔８２に差し込まれて係止することで、内筒２３の前方への引き出しが規制され、内筒２３は後退位置で外筒２２と連結される。一方、ロングビットを使用する場合は、操作ボタン８１を上方位置にスライドさせて係止片８６を透孔８２から抜き取れば、図１４，１５のように内筒２３を前方へ引き出してスライド部２０を伸長させることができる。
【００３５】
この変更例においても、ストッパ機構５５Ｂを設けたことで、ショートビットへの対応も容易に行え、使い勝手が向上する。特に、ストッパ機構５５Ｂの係止部を、ノズル２１に沿って上下動可能に設けられ、下方位置で透孔８２に係止する操作ボタン８１としているので、操作ボタン８１の上下操作によってストッパ機構５５Ｂの有無の切り替えを容易に行うことができ、構造も簡単で済む。
なお、係止部としては操作ボタンの形状に限らず、操作ツマミ付のスライド部材としたり、被係止部は透孔に限らず凹部としたりしてもよい。
【００３６】
その他、ハンマードリルの形態も、ＤＣ機でなく電源として商用電源を使用するＡＣ機であったりしても差し支えない。勿論ハンマードリルに限らず、集塵装置を装着可能であれば、電動ドリル等の他の電動工具であっても本発明は適用可能である。
また、モータや集塵ファンを集塵装置に設けずに、電動工具側のモータ及びファンを利用して集塵装置での集塵を図ることもできる。ダストボックスも本体ケースに着脱可能とする構造に限らず、本体ケースと一体に設けて開閉可能な蓋体によって粉塵の廃棄を行うようにしてもよい。
【符号の説明】
【００３７】
１，１Ａ・・電動工具用集塵装置、２・・本体ケース、３・・嵌合凹部、４・・モータ、５・・出力軸、６・・コントローラ、７・・集塵ファン、９・・排気口、１０・・結合部、１１・・ダストボックス、１２・・仕切壁、１３・・連通孔、１９・・案内通路、２０・・スライド部、２１・・ノズル、２２・・外筒、２３・・内筒、２６・・吸込口、２９・・ダクト、３２・・フレキシブルホース、３３・・ボックス本体、３４・・蓋体、３７・・フィルタユニット、４５・・位置決め機構、４７・・ラック、４８・・位置決めボタン、５０・・深さ調整機構、５１・・レール、５２・・調整ボタン、５３・・当接部、５５，５５Ａ，５５Ｂ・・ストッパ機構、５６・・フック、５７・・係止棒、５９・・支軸、６４・・操作リング、６５・・凸部、６６・・ストッパ部、７０・・ハンマードリル、７１・・ハウジング、７２・・装着部、８０・・保持部、８１・・操作ボタン、８２・・透孔、８６・・係止片、８７・・ボール、８９・・凹部、Ｒ・・集塵経路。
【図１】
0006778560.tif 000002
【図２】
0006778560.tif 000003
【図３】
0006778560.tif 000004
【図４】
0006778560.tif 000005
【図５】
0006778560.tif 000006
【図６】
0006778560.tif 000007
【図７】
0006778560.tif 000008
【図８】
0006778560.tif 000009
【図９】
0006778560.tif 000010
【図１０】
0006778560.tif 000011
【図１１】
0006778560.tif 000012
【図１２】
0006778560.tif 000013
【図１３】
0006778560.tif 000014
【図１４】
0006778560.tif 000015
【図１５】
0006778560.tif 000016
【図１６】
0006778560.tif 000017
【図１７】
0006778560.tif 000018